(57)【要約】判定帰還型等化器（ＤＦＥ）に於いて、標準判定指示（ｄｄ）モードとソフト判定指示（ｄｄ）モードの一方を自動的に選択してデータ信号を受信する装置は、標準判定指示モードを選択するための第１の値を呈し、或いは、ソフト判定指示モードを選択するための第２の値を呈する制御信号に応答する制御入力を有し、ＤＦＥ出力信号を供給する等化器を含んでいる。この等化器は、等化器コンバージェンスを示すロック信号を供給する出力を有するロック検出器を含んでいる。上記装置は、更に、ロック検出器出力に結合されている入力と、上記制御入力に結合されており、ロック信号の特性に依存する第１と第２の値の一方を呈する出力信号を供給する出力とを有するモード・セレクタを含んでいる。
2005523635.tif 000002
【特許請求の範囲】
【請求項１】
判定帰還型等化器（ＤＦＥ）に於いて、標準判定指示モードとソフト判定指示モードの一方を自動的に選択してデータ信号を受信する装置であって、
ＤＦＥ出力信号を供給する出力と、前記標準判定指示モードを選択するための第１の値（１）を呈し、或いは、前記ソフト判定指示モードを選択するための第２の値（０）を呈する第１の信号（ｓｅｌ）に応答する制御入力とを有する前記等化器（例えば、図１）を含み、
前記等化器が、
等化器コンバージェンスを示すロック信号（ｅｑｌ＿ｌｏｃｋ＿ｉｎｔ）を供給するための出力を有するロック検出器（２０）と、
前記ロック検出器の前記出力に結合された入力と、前記制御入力に結合されており、前記ロック信号の特性に依存する前記第１と第２の値の一方を呈する前記第１の信号（ｓｅｌ）を供給する第１の出力とを有するモード・セレクタ（１８）と、
を含む、装置。  
【請求項２】
前記モード・セレクタが、プロセッサを含み、
前記プロセッサが、
前記モード・セレクタの前記入力に結合されており、所定の期間（Ｗ個のシンボル周期分）中に、前記第１と第２の値（１、０）の間に於ける前記ロック信号（ｅｑｌ＿ｌｏｃｋ＿ｉｎｔ）の遷移数（ＮＴｒ）を計数するための入力と、
前記遷移数（ＮＴｒ）を所定の閾値計数値（Ｔｈｒ）と比較する比較器（：Ｔｈｒ）と、
前記モード・セレクタの前記第１の出力に結合されており、前記遷移数が前記閾値計数値（Ｔｈｒ）より小さいとき、前記第１の値（１）を呈し、前記遷移数が前記閾値計数値（Ｔｈｒ）より小さくないとき、前記第２の値（０）を呈する前記第１の信号（ｓｅｌ）を供給する比較器出力と、
を有する、請求項１記載の装置。
【請求項３】
前記モード・セレクタ（１８）が、前記ロック信号（ｅｑｌ＿ｌｏｃｋ＿ｉｎｔ）の特性に応じて、前記ＤＦＥ出力信号を選択的に、
（ａ）前記標準判定指示モードと前記ソフト判定指示モードの一方と、
（ｂ）ブラインド・モードと、
の一方にするための第２の出力を有する、請求項１記載の装置。
【請求項４】
前記モード・セレクタの前記第２の出力が、前記ロック信号がコンバージェンスを示さないとき、前記ＤＦＥ出力信号を選択的に前記ブラインド・モードにし、
また、前記モード・セレクタの前記第２の出力は、前記ロック信号がコンバージェンスと不安定なコンバージェンスの一方を示すとき、前記ＤＦＥ出力信号を選択的に前記標準判定指示モードと前記ソフト判定指示モードの一方にし、この際、何れかの判定指示モードを選択する決定が、前記モード・セレクタの前記第１の出力の前記第１の信号（ｓｅｌ）により制御される、請求項３記載の装置。
【請求項５】
前記モード・セレクタ（１８）が、前記ロック信号（ｅｑｌ＿ｌｏｃｋ＿ｉｎｔ）の特性に応じて、前記ＤＦＥ出力信号を選択的に、
（ａ）前記標準判定指示モードと前記ソフト判定指示モードの一方と、
（ｂ）トレーニング・モードと、
の一方にするための第２の出力
を有する、請求項１記載の装置。
【請求項６】
前記モード・セレクタの前記第２の出力が、前記ロック信号がコンバージェンスを示さないとき、前記ＤＦＥ出力信号を選択的に前記トレーニング・モードにし、
また、前記モード・セレクタの前記第２の出力は、前記ロック信号がコンバージェンスと不安定なコンバージェンスの一方を示すとき、前記ＤＦＥ出力信号を選択的に前記標準判定指示モードと前記ソフト判定指示モードの一方にし、この際、何れかの判定指示モードを選択する決定が、前記モード・セレクタの前記第１の出力の前記第１の信号（ｓｅｌ）により制御される、請求項５記載の装置。
【請求項７】
前記所定の期間（Ｗ個のシンボル周期分）が、前記データ信号の所定数（Ｗ）のシンボル周期分の期間に相当する、請求項２記載の装置。
【請求項８】
前記所定の期間（Ｗ個のシンボル周期分）と前記所定の閾値計数値（Ｔｈｒ）が、プログラム可能な変数である、請求項７記載の装置。
【請求項９】
前記プロセッサが、
前記ロック信号の遅延されたものを出力する第１のＤ型フリップフロップ（ＦＦ１）を含む遷移検出器と、
前記ロック信号（ｅｑｌ＿ｌｏｃｋ＿ｉｎｔ）と前記遅延されたもの（Ｑ）とが供給され、前記所定の期間の間、前記遷移数（ＮＴｒ）の１計数値を呈する遷移表示信号を供給する排他的論理和ゲート（ＸＯＲ）と、
前記遷移数（ＮＴｒ）の計数値を前記閾値計数値と比較して、前記第１の信号（ｓｅｌ）を供給する計数値比較器（：Ｔｈｒ）と、
を含む、請求項８記載の装置。
【請求項１０】
前記比較器出力（ｓｅｌ）が、状態機械（図８）を介して、前記モード・セレクタの前記第１の出力に結合されており、前記状態機械が、
前記データ信号の所定数（Ｎ＊Ｗ）のシンボル周期分の期間の間、前記第１の信号の前記第１の値の発生（ｓｅｌ＝１）の回数を計数して、第２の信号を供給する装置（状態機械）を含み、
（ａ）前記等化器が、前記第１のモードに在り、且つ、前記第１の信号の前記第１の値の前記発生回数が、所定の閾値計数値（ｓｅｌ＿ｔｈｒ）より小さくない場合、前記第２の信号が前記第１の値（１）を呈し、
（ｂ）前記等化器が、前記第２のモードに在り、且つ、前記第１の信号の前記第１の値（１）の前記発生回数が、前記所定の閾値計数値（ｓｅｌ＿ｔｈｒ）より小さい場合、前記第２の信号が前記第２の値（０）を呈する、請求項６記載の装置。
【請求項１１】
前記所定数（Ｎ＊Ｗ）のシンボル周期分と前記所定の閾値計数値（ｓｅｌ＿ｔｈｒ）が、プログラム可能な変数である、請求項１０記載の装置。
【請求項１２】
判定帰還型等化器（ＤＦＥ）に於いて、標準自動切換えモードとソフト自動切換えモードの一方を自動的に選択してデータ信号を受信する装置であって、
前記等化器には、等化器コンバージェンスを示すロック信号（Ｌｏｃｋ  Ｏｕｔｐｕｔ）を供給するロック検出器（２０）が含まれており、前記選択が前記ロック信号の遷移のレートのモニタリングに基づく、装置。
【請求項１３】
前記選択は、前記遷移の前記レートが既定のレート（Ｔｈｒ）より小さいか、或いは、それより小さくないかに基づく、請求項１２記載の装置。
【請求項１４】
前記遷移の前記レートが前記既定のレート（Ｔｈｒ）より小さいとき、前記標準自動切換えモードが選択され、
前記遷移の前記レートが前記既定のレート（Ｔｈｒ）より小さくないとき、前記ソフト自動切換えモードが選択される、請求項１３記載の装置。
【請求項１５】
前記既定のレート（Ｔｈｒ）が、ウィンドウ期間（Ｗ個のシンボル分の期間Ｎ個）内の前記遷移の閾値計数値として定義される、請求項１３記載の装置。
【請求項１６】
前記ウィンドウ期間（Ｗ個のシンボル分の期間Ｎ個）が、前記データ信号のシンボル・計数値に換算して定義される、請求項１５記載の装置。
【請求項１７】
前記ウィンドウ期間（Ｗ個のシンボル分の期間Ｎ個）と前記閾値計数値が、プログラム可能な変数である、請求項１６記載の装置。
【請求項１８】
前記選択が、更に、
現在どのモードが選択されているかについての判断と、
所定の閾値発生レート（ｓｅｌ＿ｔｈｒ）と比較される、前記標準自動切換えモードの設定用のロック信号（ｅｑｌ＿ｌｏｃｋ＿ｉｎｔ）発生レート（ｓｅｌ  ｃｏｕｎｔ）と、
に基づく、請求項１２記載の装置。  
【請求項１９】
前記標準自動切換えモードが現在選択されており、且つ、前記標準自動切換えモード設定用の前記ロック信号発生レート（ｓｅｌ  ｃｏｕｎｔ）が前記所定の閾値発生レート（ｓｅｌ＿ｔｈｒ）より小さいとき、前記ソフト自動切換えモードが選択され、
前記標準自動切換えモードが現在選択されており、且つ、前記ロック信号発生レート（ｓｅｌ  ｃｏｕｎｔ）が前記所定の閾値発生レート（ｓｅｌ＿ｔｈｒ）より小さくないとき、前記標準自動切換えモードが選択されたままであり、
前記ソフト自動切換えモードが現在選択されており、且つ、前記標準自動切換えモード設定用の前記ロック信号発生レート（ｓｅｌ  ｃｏｕｎｔ）が前記所定の閾値発生レート（ｓｅｌ＿ｔｈｒ）より小さくないとき、前記標準自動切換えモードが選択され、
前記ソフト自動切換えモードが現在選択されており、且つ、前記ロック信号発生レート（ｓｅｌ  ｃｏｕｎｔ）が前記所定の閾値発生レート（ｓｅｌ＿ｔｈｒ）より小さいとき、前記ソフト自動切換えモードが選択されたままである、請求項１８記載の装置。
【請求項２０】
前記所定の閾値発生レート（ｓｅｌ＿ｔｈｒ）が、前記データ信号のシンボル計数値Ｗの所定数Ｎ個分の期間内に於ける前記ロック信号の発生の閾値数（ｓｅｌ＿ｔｈｒ）に換算して定義される、請求項１８記載の装置。
【請求項２１】
判定帰還型等化器（ＤＦＥ）に於いて、標準自動切換えモードとソフト自動切換えモードの一方を自動的に選択してデータ信号を受信する装置であって、
前記標準自動切換えモードが、
（ａ）ブラインド・モードと
（ｂ）標準判定指示モードと
の一方からなり、
前記ソフト自動切換えモードが
（ａ）ブラインド・モードと
（ｂ）ソフト判定指示モードと
の一方からなり、
前記等化器には、第１と第２の制御値を呈する制御信号（ｓｅｌ）に応答するモード選択用の制御入力が含まれ、
（ａ）前記第１の制御値（１）が、前記標準自動切換えモードを選択するためのものであり、
（ｂ）前記第２の制御値（０）が、前記ソフト自動切換えモードを選択するためのものであり、
更に、前記等化器には、それぞれ等化器コンバージェンスと等化器非コンバージェンスを示す第１と第２のロック信号値（１、０）を有するロック信号（Ｌｏｃｋ  Ｏｕｔｐｕｔ）を供給するロック検出器（２０）が含まれ、
更に、前記等化器には、前記制御信号（ｓｅｌ）を前記モード選択用制御入力に供給する装置が含まれ、
前記選択信号供給装置が、
前記第１と第２のロック信号値（１、０）間に於ける前記ロック信号の遷移のレート（ＮＴｒ）をモニタし、
前記遷移の前記レート（ＮＴｒ）を前記遷移の閾値レート（Ｔｈｒ）と比較して前記制御信号（ｓｅｌ）を供給し、
前記遷移の前記レートが前記閾値レートより小さいとき、前記制御信号が前記第１の制御値（１）を呈するようにし、前記遷移の前記レートが前記閾値レートより小さくないとき、前記制御信号が前記第２の制御値（０）を呈するようにし、
前記等化器は、前記標準自動切換えモードに在るとき、前記第１の制御値（１）を呈する前記制御信号の発生のレートをモニタし、前記発生の前記レートを前記発生の閾値レート（ｓｅｌ＿ｔｈｒ）と比較し、もし前記発生の前記レートが前記発生の前記閾値レート（ｓｅｌ＿ｔｈｒ）より小さい場合、前記制御信号が前記第２の制御値（０）を呈するようにして、前記ソフト自動切換えモードを選択し、もし前記発生の前記レートが前記発生の前記閾値レート（ｓｅｌ＿ｔｈｒ）より小さくない場合、前記標準自動切換えモードが選択されたままにし、
前記等化器は、前記ソフト自動切換えモードに在るとき、前記第１の制御値（１）を呈する前記制御信号の発生のレートをモニタし、前記発生の前記レートを前記発生の前記閾値レート（ｓｅｌ＿ｔｈｒ）と比較し、もし前記発生の前記レートが前記発生の前記閾値レート（ｓｅｌ＿ｔｈｒ）より小さくない場合、前記制御信号が前記第１の制御値（１）を呈するようにして、前記標準自動切換えモードを選択し、もし前記発生の前記レートが前記発生の前記閾値レート（ｓｅｌ＿ｔｈｒ）より小さい場合、前記ソフト自動切換えモードが選択されたままにする、装置。
【請求項２２】
判定帰還型等化器（ＤＦＥ）に於いて標準自動切換えモードとソフト自動切換えモードの一方を自動的に選択してデータ信号を受信する装置であって、
前記標準自動切換えモードは、ブラインド・モード或いは標準判定指示モードから成り、
前記ソフト自動切換えモードは、ブラインド・モード或いはソフト判定指示モードから成り、
前記装置が、
等化器コンバージェンスを示すロック信号の遷移をモニタする手段（ＦＦ１、ＸＯＲ、計数器１、計数器２、ＦＦ２）と、
前記遷移のレート（ＮＴｒ）を既定レート（Ｔｈｒ）と比較する手段（：Ｔｈｒ）と、
前記遷移の前記レートが前記既定レート（Ｔｈｒ）より小さいとき、前記標準自動切換えモードに対応する第１の制御値（１）を呈し、前記遷移の前記レート（ＮＴｒ）が前記既定レート（Ｔｈｒ）より小さくないとき、前記ソフト自動切換えモードに対応する第２の制御値（０）を呈する制御信号（ｓｅｌ）を供給する手段と、
前記データ信号の所定数（Ｎ＊Ｗ）のシンボル周期分の期間の間、前記制御信号の前記第１の制御値（１）の発生の数（ｓｅｌ＿ｃｏｕｎｔ）を計数し、
前記等化器が前記第１のモードに在るとき、もし前記第１の制御値（１）の前記発生数（ｓｅｌ＿ｃｏｕｎｔ）が所定の閾値計数値（ｓｅｌ＿ｔｈｒ）より小さい場合、前記ソフト自動切換えモードを選択し、そうでない場合、前記標準自動切換えモードを選択し、
前記等化器が前記第２のモードに在るとき、もし前記第１の制御値（１）の前記発生数（ｓｅｌ＿ｃｏｕｎｔ）が前記所定の閾値計数値より小さくない場合、前記標準自動切換えモードを選択し、そうでない場合、前記ソフト自動切換えモードを選択する手段（状態機械）と、
を含む、装置。
【請求項２３】
判定帰還型等化器（ＤＦＥ）（図１）に於いて、標準自動切換えモードとソフト自動切換えモードの一方を自動的に選択してデータ信号を受信する装置であって、
前記標準自動切換えモードは、ブラインド・モード或いは標準判定指示モードから成り、
前記ソフト自動切換えモードは、ブラインド・モード或いはソフト判定指示モードから成り、
前記装置が、
前記各モードを選択するための制御入力を有する前記判定帰還型等化器と、
等化器コンバージェンスを示すロック信号（Ｌｏｃｋ  Ｏｕｔｐｕｔ）の遷移をモニタする手段（ＦＦ１、ＸＯＲ、計数器１、計数器２、ＦＦ２）と、
前記遷移のレート（ＮＴｒ）を既定レート（Ｔｈｒ）と比較する手段（：Ｔｈｒ）と、
前記遷移の前記レート（ＮＴｒ）が前記既定レート（Ｔｈｒ）より小さいとき、前記標準自動切換えモードを選択するための第１の値（１）を呈し、前記遷移の前記レート（ＮＴｒ）が前記既定レート（Ｔｈｒ）より小さくないとき、前記ソフト自動切換えモードを選択するための第２の値（０）を呈する選択信号（ｓｅｌ）を前記制御入力に供給する手段（状態機械）と、
を含む、装置。
【請求項２４】
判定帰還型等化器（ＤＦＥ）に於いて、標準判定指示（ｄｄ）モードとソフト判定指示モードの一方を自動的に選択して、データ信号を受信する装置であって、
コンバージェンスを示すロック信号の第１と第２の値の間での遷移のレートを特定する手段と、
前記遷移の前記レートを所定の閾値レート（Ｔｈｒ）と比較する手段と、
前記遷移の前記レートが前記所定の閾値レートより小さいとき、第１の値（１）を呈し、前記遷移の前記レートが前記所定の閾値レートより小さくないとき、第２の値（０）を呈する第１の制御信号（ｓｅｌ）を供給する手段と、
前記第１の制御信号を前記判定帰還型等化器のモード選択入力に供給する手段と、
を含み、
前記モード選択入力に供給された前記第１の制御信号が前記第１の値を呈するとき、前記標準判定指示モードが選択され、また、前記モード選択入力に供給された前記第１の制御信号が前記第２の値を呈するとき、前記ソフト判定指示モードが選択される、装置。
【請求項２５】
前記第１の制御信号を前記モード選択入力に供給する前記手段が、
前記第１の制御信号の前記第１の値の発生のレートを特定して、第２の制御信号（ｅｑｌ＿ｍｏｄｅ＿ｓｅｌ）を供給する手段（状態機械）と、
前記第１の制御信号の前記第１の値（１）の前記発生の前記レートを前記発生の所定の閾値レート（ｓｅｌ＿ｔｈｒ）と比較する手段（状態機械）と、
前記等化器が前記第１のモードに在るとき、前記第１の制御信号の前記第１の値（１）の前記発生の前記レート（ｓｅｌ  ｃｏｕｎｔ）が前記所定の閾値レート（ｓｅｌ＿ｔｈｒ）より小さくない場合、前記第２の制御信号が第１の所定の値（１）を呈するようにし、その他の場合、前記第２の制御信号が第２の所定の値（０）を呈するようにする手段（状態機械）と、
前記等化器が前記第２のモードに在るとき、前記第１の制御信号の前記第１の値の前記発生の前記レートが前記所定の閾値計数値（ｓｅｌ＿ｔｈｒ）より小さくない場合、前記第２の制御信号（ｅｑｌ＿ｍｏｄｅ＿ｓｅｌ）が前記第２の所定の値（０）を呈するようにし、その他の場合、前記第２の制御信号が前記第１の所定の値（１）を呈するようにする手段（状態機械）と、
前記第２の制御信号を前記モード選択入力に供給する手段と、
を含む、請求項２４記載の装置。
【請求項２６】
判定帰還型等化器（ＤＦＥ）に於いて、標準自動切換えモードとソフト自動切換えモードの一方を自動的に選択してデータ信号を受信する方法であって、
等化器コンバージェンスを示すロック信号の遷移をモニタするステップと、
前記遷移のレートを既定レートと比較するステップと、
前記遷移の前記レートが前記既定レートより小さいとき、前記標準自動切換えモードを選択するための第１の値（１）を呈し、前記遷移の前記レートが前記既定レートより小さくないとき、前記ソフト自動切換えモードを選択するための第２の値（０）を呈する選択信号を供給するステップと、
を含む方法。
【請求項２７】
判定帰還型等化器（ＤＦＥ）に於いて、標準自動切換えモードとソフト自動切換えモードの一方を自動的に選択してデータ信号を受信する方法であって、
等化器コンバージェンスを示すロック信号の遷移をモニタするステップと、
前記遷移のレートを既定レートと比較するステップと、
前記遷移の前記レートが前記既定レートより小さい時に第１の値を呈し、前記遷移の前記レートが前記既定レートより小さくない時に第２の値を呈する選択信号を供給するステップと、
前記データ信号の所定数のシンボル周期分の期間の間、前記選択信号の前記第１の値の発生数を計数するステップと、
前記等化器が前記第１のモードに在るとき、前記第１の値の前記発生数が所定の閾値計数値より小さくない場合、前記標準自動切換えモードを選択し、その他の場合、前記ソフト自動切換えモードを選択するステップと、
前記等化器が前記第２のモードに在るとき、前記第１の値の前記発生数が前記所定の閾値計数値より小さくない場合、前記標準自動切換えモードを選択し、その他の場合、前記ソフト自動切換えモードを選択するステップと、
を含む方法。
【請求項２８】
判定帰還型等化器（ＤＦＥ）に於いて、標準自動切換えモードとソフト自動切換えモードの一方を自動的に選択してデータ信号を受信する方法であって、
コンバージェンスを示すロック信号の第１と第２の値の間での遷移のレートを特定するステップと、
前記遷移の前記レートを所定の閾値レートと比較するステップと、
前記遷移の前記レートが前記所定の閾値レートより小さいとき、第１の所定の値を呈し、前記遷移の前記レートが前記所定の閾値レートより小さくないとき、第２の所定の値を呈する第１の信号を供給するステップと、
前記第１の信号を前記判定帰還型等化器のモード選択入力に供給し、前記モード選択入力に供給された前記第１の信号が前記第１の所定の値を呈するとき、前記標準自動切換えモードが選択されるようにし、前記モード選択入力に供給された前記第１の信号が前記第２の所定の値を呈するとき、前記ソフト自動切換えモードが選択されるようにするステップと、
を含む方法。
【請求項２９】
前記第１の信号を前記モード選択入力に供給するステップが、
前記第１の信号の前記第１の所定の値の発生レートを特定するステップと、
前記第１の信号の前記第１の所定の値の前記発生レートを所定の閾値レートと比較するステップと、
前記等化器は、前記第１のモードに在るとき、前記第１の所定の値の前記発生レートが前記所定の閾値レートより小さくない場合、第２の信号が前記第１の所定の値を呈するようにし、その他の場合、前記第２の信号が前記第２の所定の値を呈するようにするステップと、
前記等化器は、前記第２のモードに在るとき、前記第１の所定の値の前記発生レートが前記所定の閾値レートより小さくない場合、前記第２の信号が前記第１の所定の値を呈するようにし、その他の場合、前記第２の信号が前記第２の所定の値を呈するようにするステップと、
前記第２の信号を前記モード選択入力に供給するステップと、
を含む、請求項２８記載の方法。
【発明の詳細な説明】
【技術分野】
【０００１】
（関連出願のクロス・リファレンス）
米国仮特許出願第６０，３７３，２０４号（発明の名称：「等化器モード・スイッチ（ＥＱＵＡＬＩＺＥＲ  ＭＯＤＥ  ＳＷＩＴＣＨ）」、発明者名：マークマン（Ｍａｒｋｍａｎ）、パーク（Ｐａｒｋ）、ヒーオ（Ｈｅｏ）、および、ゲルファント（Ｇｅｌｆａｎｄ）、出願日：２００２年４月１７日）の優先権をここに主張する。
【０００２】
米国仮特許出願第６０／３７３，２０５号（発明の名称：「等化器／ＦＥＣモード・スイッチ（ＥＱＵＡＬＩＺＥＲ／ＦＥＣ  ＭＯＤＥ  ＳＷＩＴＣＨ）」、発明者名：パーク（Ｐａｒｋ）、ヒーオ（Ｈｅｏ）、マークマン（Ｍａｒｋｍａｎ）、および、ゲルファント（Ｇｅｌｆａｎｄ）、出願日：２００２年４月１７日）の優先権をここに主張する。
【０００３】
同時係属出願である米国仮特許出願第６０／３７２，９７０号（発明の名称：「判定帰還型等化器の構造（ＡＲＣＨＩＴＥＣＴＵＲＥ  ＦＯＲ  Ａ  ＤＥＣＩＳＩＯＮ  ＦＥＥＤＢＡＣＫ  ＥＱＵＡＬＩＺＥＲ）」、発明者名：ヒーオ（Ｈｅｏ）、マークマン（Ｍａｒｋｍａｎ）、パーク（Ｐａｒｋ）、および、ゲルファント（Ｇｅｌｆａｎｄ）、出願日：２００２年４月１６日）の優先権をここに主張する。
【背景技術】
【０００４】
本発明は、一般に、高精細度テレビジョン（ＨＤＴＶ）受信に於けるような未知の特性および／または時間変化特性を有するチャンネルを介する信号送信の補償に使用される適応型等化器（ａｄａｐｔｉｖｅ  ｅｑｕａｌｉｚｅｒ）に関し、詳しくは、等化器／前方誤差訂正（ＦＥＣ：Ｆｏｒｗａｒｄ  Ｅｒｒｏｒ  Ｃｏｒｒｅｃｔｉｏｎ）自動モード選択装置に関する。
【０００５】
米国に於ける高精細度テレビジョン（ＨＤＴＶ）用ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）規格では、等化器は、約１０．７６ＭＨｚのシンボル・レートに等しい平均レートの残留側波帯（ＶＳＢ）変調（ＨＤＴＶ用ＡＴＳＣ規格に応じた変調方式）により送信されるデータ・ストリームを受信する適応型フィルタである。等化器は、地上波放送チャンネルの一般的な特性であり、主にマルチパス伝送に起因する線形歪みを除去または低減しようとするものである（米国ＡＴＳＣの１９９５年９月１６日付け「ＡＴＳＣディジタル・テレビジョン規格」を参照されたい）。
【０００６】
通信技術に使用される判定帰還型等化器（ＤＦＥ：Ｄｅｃｉｓｉｏｎ  Ｆｅｅｄｂａｃｋ  Ｅｑｕａｌｉｚｅｒ）には、一般的に、フィードフォワード型フィルタ（ＦＦＦ）と帰還（フィードバック）型フィルタ（ＦＢＦ）とが含まれており、一般的に、ＦＢＦが信号検出器の出力の判定により駆動され、各フィルタ係数が所望の特性に適応するように調節されて、好ましくない歪み効果を低減できる。この適応は、一般的に、信号の同期期間の間に「トレーニング・シーケンス（ｔｒａｉｎｉｎｇ  ｓｅｑｕｅｎｃｅ）」を送信することにより行われ、或いは、送信信号の特性修復技術（ｐｒｏｐｅｒｔｙ  ｒｅｓｔｏｒａｌ  ｔｅｃｈｎｉｑｕｅ）を使用した「ブラインド・アルゴリズム（ｂｌｉｎｄ  ａｌｇｏｒｉｔｈｍ）」により行われる。一般的に、等化器には、等化すべきマルチパス遅延拡散（ｍｕｌｔｉｐａｔｈ  ｄｅｌａｙ  ｓｐｒｅａｄ）のような要因（ｆａｃｔｏｒ）により、その各フィルタ毎に特定数のタップが設けられており、そのタップ間隔（ｔａｐ  ｓｐａｃｉｎｇ）Ｔは、一般的に（常時ではなく）、シンボル・レートに等しい。これらのフィルタの重要なパラメータの１つは、コンバージェンス（ｃｏｎｖｅｒｇｅｎｃｅ：収束）レートである。このコンバージェンス・レートは、等化器の最適設定に至るコンバージェンスに必要な繰返し数（ｎｕｍｂｅｒ  ｏｆ  ｉｔｅｒａｔｉｏｎｓ）として定義できる。このような等化器、使用アルゴリズム、および、それらの通信技術への応用の更に詳しい分析と解説は、適切な技術文献または技術解説書、例えば、ジョン・ジー・プロアキス（Ｊｏｈｎ  Ｇ．Ｐｒｏａｋｉｓ）氏著の「ディジタル通信（Ｄｉｇｉｔａｌ  Ｃｏｍｍｕｎｉｃａｔｉｏｎｓ）」の第２版（ＭｃＧｒａｗ−Ｈｉｌｌ、Ｎｅｗ  Ｙｏｒｋ）（１９８９年）、セオドア・エス・ラッパポート（Ｔｈｅｏｄｏｒｅ  Ｓ．  Ｒａｐｐａｐｏｒｔ）氏著の「ワイアレス通信（Ｗｉｒｅｌｅｓｓ  Ｃｏｍｍｕｎｉｃａｔｉｏｎｓ）」（Ｐｒｅｎｔｉｃｅ  Ｈａｌｌ  ＰＴＲ、  Ｓａｄｄｌｅ  Ｒｉｖｅｒ、Ｎｅｗ  Ｊｅｒｓｅｙ）（１９９６年）、および、エイ・ピー・クラーク（Ａ．Ｐ．Ｃｌａｒｋ）氏著の「データ送信の原理（Ｐｒｉｎｃｉｐｌｅｓ  ｏｆ  Ｄａｔａ  Ｔｒａｎｓｍｉｓｓｉｏｎ）」の第２版（Ｊｏｈｎ  Ｗｉｌｅｙ  ＆  Ｓｏｎｓ、Ｎｅｗ  Ｙｏｒｋ）（１９８３年）を参照されたい。
【発明の開示】
【０００７】
（発明の概要）
本発明の１つの特徴は、判定帰還型等化器（ＤＦＥ）に於いて、標準判定指示（ｄｄ：ｄｅｃｉｓｉｏｎ  ｄｉｒｅｃｔｅｄ）モードとソフト判定指示（ｄｄ）モードの一方を自動的に選択してデータ信号を受信する装置が、標準判定指示モードを選択するための第１の値を呈し、或いは、ソフト判定指示モードを選択するための第２の値を呈する制御信号に応答する制御入力を有し、ＤＦＥ出力信号を供給する等化器を含んでいる。この等化器は、等化器コンバージェンスを示すロック信号を供給する出力を有するロック検出器を含んでいる。上記装置は、更に、ロック検出器出力に結合されている入力と、上記制御入力に結合されており、ロック信号の特性に依存する第１と第２の値の一方を呈す出力信号を供給する出力とを有するモード・セレクタ（選択器）を含んでいる。
【０００８】
本発明の別の特徴は、判定帰還型等化器（ＤＦＥ）に於いて、標準判定指示モードとソフト判定指示モードの一方を自動的に選択してデータ信号を受信する装置が、ＤＦＥ出力信号を供給する出力と、（ａ）標準判定指示モードを選択するための第１の値を呈し、或いは、（ｂ）ソフト判定指示モードを選択するための第２の値を呈する制御信号に応答する制御入力とを有する等化器を含んでいる。等化器は、等化器コンバージェンスを示すロック信号を供給する出力を有するロック検出器を含んでいる。上記等化器は、更に、ロック検出器出力に結合されている入力と、上記制御入力に結合されており、ロック信号の特性に依存する第１と第２の値の一方を呈する制御信号を供給する出力とを有するモード・セレクタを含んでいる。
【０００９】
本発明の更に別の特徴は、モード・セレクタにはプロセッサが含まれ、プロセッサは、モード・セレクタの入力に結合されており、所定の期間の間、第１と第２の値の間に於けるロック信号の遷移数を計数するための入力と、遷移数を所定の閾値計数値と比較する比較器と、モード・セレクタの出力に結合されており、遷移数が閾値計数値より小さいとき、第１の値を呈し、遷移数が閾値計数値より小さくないとき、第２の値を呈する第１の信号を供給する比較器出力と、を含んでいる。
【００１０】
本発明の更に別の特徴は、判定帰還型等化器（ＤＦＥ）に於いて、標準自動切換えモードとソフト自動切換えモードの一方を自動的に選択してデータ信号を受信する装置は、標準自動切換えモードが、（ａ）ブラインド・モードと（ｂ）標準判定指示モードとの一方から成り、ソフト自動切換えモードが（ａ）ブラインド・モードと（ｂ）ソフト判定指示モードとの一方からなり、等化器には、第１と第２の制御値を呈する制御信号に応答するモード選択用の制御入力が含まれ、（ａ）第１の制御値は標準自動切換えモードを選択するためのものであり、（ｂ）第２の制御値はソフト自動切換えモードを選択するためのものであり、更に、等化器には、それぞれ等化器コンバージェンスと等化器非コンバージェンスを示す第１と第２のロック信号値を有するロック信号を供給するロック検出器が含まれ、更に、等化器には、制御信号をモード選択用制御入力に供給する装置が含まれ、この制御信号供給装置が、第１と第２のロック信号値間に於けるロック信号の遷移のレートをモニタして制御信号を供給し、遷移のレートを遷移の閾値レートと比較して、遷移のレートが閾値レートより小さいとき、制御信号が第１の制御値を呈するようにし、遷移のレートが閾値レートより小さくないとき、制御信号が第２の制御値を呈するようにし、等化器が標準自動切換えモードに在るとき、第１の制御値を呈する制御信号の発生レートをモニタし、そのレートを発生の閾値レートと比較し、もし発生のレートが発生の閾値レートより小さい場合、制御信号が第２の制御値を呈するようにして、ソフト自動切換えモードを選択し、もし発生のレートが発生の閾値レートより小さくない場合、標準自動切換えモードが選択されたままにし、等化器がソフト自動切換えモードに在るとき、第１の制御値を呈する制御信号の発生のレートをモニタし、そのレートを発生の閾値レートと比較し、もし発生のレートが発生の閾値レートより小さくない場合、制御信号が第１の制御値を呈するようにして、標準自動切換えモードを選択し、もし発生のレートが発生の閾値レートより小さい場合、ソフト自動切換えモードが選択されたままにする。
【００１１】
以下、図を参照しながら、本発明を詳しく説明する。
【発明を実施するための最良の形態】
【００１２】
本発明の等化器自動モード・スイッチには、３つの使用可能なモード、即ち、トレーニング・モード、ブラインド・モード、および、判定指示（ｄｄ：ｄｅｃｉｓｉｏｎ−ｄｉｒｅｃｔｅｄ）モードを有するＴ間隔（Ｔはシンボル周期）の判定帰還型等化器（ＤＦＥ：Ｄｅｃｉｓｉｏｎ  Ｆｅｅｄｂａｃｋ  Ｅｑｕａｌｉｚｅｒ）が含まれる。
【００１３】
本発明の原理をより良く理解し、且つ、幾つかの用語の定義を明確にするため、本発明の推奨実施例の詳細な説明に入る前に、先ず、図１の簡略化ブロック図の判定帰還型等化器（ＤＦＥ）の構造を説明する。
【００１４】
判定帰還型等化器（ＤＦＥ）への入力は、フィードフォワード型フィルタ（ＦＦＦ）１０に供給され、その出力は、加算ユニット１２の一方の入力に供給される。加算ユニット１２の他方の入力には、帰還型フィルタ（ＦＢＦ）１４の出力が結合されている。加算ユニット１２の出力は、スライサ１６、モード・スイッチ１８の１つの入力、および、ロック検出器２０に結合されている。ロック検出器２０の出力は、モード・スイッチ１８の制御入力に結合されている。スライサ１６の出力は、モード・スイッチ１８の別の入力に結合されており、モード・スイッチ１８の１つの出力が、ＦＢＦ１４の１つの入力に結合されている。また、モード・スイッチ１８の別の出力が、ＦＦＦ１０とＦＢＦ１４のそれぞれの係数制御入力に結合されている。
【００１５】
フィードフォワード型フィルタ（ＦＦＦ）１０、帰還型フィルタ（ＦＢＦ）１４およびスライサ１６の各機能は、周知であり、それぞれ、基本的なフィルタリング機能と量子化機能を備えている（例えば、前述のプロアキス氏著の技術解説書参照）。また、各フィルタとそれらの実施例の更なる情報については、種々の技術解説書、例えば、ジョン・ジー・プロアキス（Ｊｏｈｎ  Ｇ．Ｐｒｏａｋｉｓ）氏とディミトリス・ジー・マノラキス（Ｄｉｍｉｔｒｉｓ  Ｇ．Ｍａｎｏｌａｋｉｓ）氏との共著の「ディジタル信号処理（Ｄｉｇｉｔａｌ  Ｓｉｇｎａｌ  Ｐｒｏｃｅｓｓｉｎｇ）」（Ｐｒｅｎｔｉｃｅ  Ｈａｌｌ、Ｎｅｗ  Ｊｅｒｓｅｙ）（１９９６年）、および、ローマン・クック（Ｒｏｍａｎ  Ｋｕｃ）氏著の「ディジタル信号処理入門（Ｉｎｔｒｏｄｕｃｔｉｏｎ  ｔｏ  Ｄｉｇｉｔａｌ  Ｓｉｇｎａｌ  Ｐｒｏｃｅｓｓｉｎｇ）」（ＭｃＧｒａｗ−Ｈｉｌｌ  Ｂｏｏｋ  Ｃｏｍｐａｎｙ、Ｎｅｗ  Ｙｏｒｋ）（１９８８年）を参照されたい。ロック検出器２０は、等化器コンバージェンス検出機能を担っている。これは、等化器出力対各スライサ・レベルを閾値と比較することにより、ロック検出器出力を更新する。等化器出力と各スライサ・レベルが閾値範囲内に在る場合、ロック、即ち、コンバージェンス（収束）が検出される。モード・スイッチ１８は、選択等化器モードに従って、等化器の適応に使用されるべき誤差信号および制御信号とＦＢＦフィルタへの入力とを選択する。また、これは、ロック検出器出力をチェックする。通常動作では、モード・スイッチ１８は、等化器ロック検出器２０の出力に依存する自動切換え機能を有する。モード・スイッチ１８は、トレーニング・モードとブラインド・モードとをコンバージェンスの目的のみに使用されていると解釈される。等化器ロック検出器２０が、コンバージェンスを検出した後、等化器は判定指示モードに遷移する。コンバージェンスが失われると、等化器はトレーニング・モード或いはブラインド・モードに戻る。
【００１６】
ＡＴＳＣ規格では、初期の等化器コンバージェンスを見込んで、トレーニング・シーケンスをフィールド同期内に含ませている。トレーニング・モードでは、各等化器係数は、フィールド同期期間のみ更新される。しかし、その使用に伴い、２つの主な欠点がある。その１つは、フィールド同期を前もって正確に検出する必要があること、もう１つは、トレーニング・シーケンスが含まれるフィールド同期が、約２５ミリ秒（ｍｓ）毎のみに生じるため、スロー・コンバージェンスになる（コンバージェンスが遅くなる）可能性があることである。
【００１７】
フィールド同期の検出を難しくするゴースト環境やダイナミック（動的）成分の場合、トレーニング・シーケンス、即ち、自己修復、或いは、ブラインドとは独立して、等化器タップ係数の初期調整を行うことが重要である。この点については、例えば、前述のプロアキス氏著の技術解説書、および、ディー・エヌ・ゴダード（Ｄ．Ｎ．Ｇｏｄａｒｄ）氏著の「２次元データ通信システムに於ける自己修復等化および搬送波トラッキング（Ｓｅｌｆ−Ｒｅｃｏｖｅｒｉｎｇ  Ｅｑｕａｌｉｚａｔｉｏｎ  ａｎｄ  Ｃａｒｒｉｅｒ  Ｔｒａｃｋｉｎｇ  ｉｎ  Ｔｗｏ  Ｄｉｍｅｎｓｉｏｎａｌ  Ｄａｔａ  Ｃｏｍｍｕｎｉｃａｔｉｏｎ  Ｓｙｓｔｅｍｓ）」（ＩＥＥＥ  Ｔｒａｎｓ．ｏｎ  Ｃｏｍｍｕｎ．，Ｖｏｌ．ＣＯＭ−２８，ｐｐ．１８６７−１８７５）（１９８０年１１月）を参照されたい。
【００１８】
更に、ブラインド・アルゴリズムは、データ・シンボル毎に動作するため、より速いコンバージェンスが得られる。
【００１９】
従来の判定指示モードと同様に、帰還型フィルタ（ＦＢＦ）１４への入力は、スライサ（振幅ゲート）１６の出力である。従って、判定指示モードでは、適応誤差と帰還型フィルタ（ＦＢＦ）１４への入力とは、スライサの存在により促進され、係数の適応は、データ・シーケンス全体に亘って行われる。このモードは、良好なコンバージェンス機能を持たないが、コンバージェンス後に、その他２つのモードより優れた利点がある。ブラインド・モードに対する判定指示モードの利点は、スライサの存在に帰すことができ、結果的に、等化器出力に於いて、より良好な平均平方誤差（ＭＳＥ：Ｍｅａｎ  Ｓｑｕａｒｅｄ  Ｅｒｒｏｒ）およびビット誤差レート（ＢＥＲ：Ｂｉｔ  Ｅｒｒｏｒ  Ｒａｔｅ）の性能が得られる。トレーニング・モードに対する判定指示モードの利点は、トレーニング・シンボルのみとは対照的に、判定指示モードが、そのタップをシンボル毎に更新することにより、より速い適応機能とトラッキング機能とを備えている点である。
【００２０】
ブラインド・モードと判定指示モードを補助として、或いは、トレーニング・モードに対する代替モードとして使用することが望ましい。その理由は、特に、ＨＤＴＶ用ＡＴＳＣ規格に於けるトレーニング・モードは、コンバージェンスが遅く、ダイナミック（動的）トラッキング機能が低い為である。
【００２１】
以下、高精細度テレビジョン（ＨＤＴＶ）受信機とその幾つかの構成部分について述べるが、それらの背景についても簡単に述べる。ＨＤＴＶ受信機では、一般的に、適応チャンネル等化器の後段に、位相および利得のノイズを取り除く位相トラッキング回路網が設けられている。この回路の出力信号は、トレリス（ｔｒｅｌｌｉｓ）デコーダに供給される。このデコーダの後段には、データ・デインターリーバが設けられている。次に、信号は、リード・ソロモン誤差訂正処理が施されて、デスクランブルされ、その後、オーディオ処理、ビデオ処理、および、表示処理が施される。更に詳細な情報については、適当な技術文献、例えば、マイケル・ロビン（Ｍｉｃｈａｅｌ  Ｒｏｂｉｎ）氏とマイケル・ポーリン（Ｍｉｃｈｅｌ  Ｐｏｕｌｉｎ）氏との共著の「ディジタル・テレビジョン原理（Ｄｉｇｉｔａｌ  Ｔｅｌｅｖｉｓｉｏｎ  Ｆｕｎｄａｍｅｎｔａｌｓ）」の第２版（ＭｃＧｒａｗ−Ｈｉｌｌ、Ｎｅｗ  Ｙｏｒｋ）（２０００年）を参照されたい。
【００２２】
図２は、付加白色ガウス雑音（ＡＷＧＮ：Ａｄｄｉｔｉｖｅ  Ｗｈｉｔｅ  Ｇａｕｓｓｉａｎ  Ｎｏｉｓｅ）チャンネルに於ける高精細度テレビジョン（ＨＤＴＶ）受信機の等化器とビタビ・デコーダ（ＶＤ：Ｖｉｔｅｒｂｉ  Ｄｅｃｏｄｅｒ）とについての「ビット誤差レート」（ＢＥＲ）対「信号対雑音比」（ＳＮＲ：Ｓｉｇｎａｌ−ｔｏ−Ｎｏｉｓｅ  Ｒａｔｉｏ、Ｓ／Ｎ比）性能曲線の図を示している。この性能は、ビタビ・デコーダ（ＶＤ）の後のみならず等化器の後でも測定される。受信機の設計上、ビタビ・デコーダは、等化器の後段に設けられ、トレリス符号化変調（Ｔｒｅｌｌｉｓ  Ｃｏｄｅｄ  Ｍｏｄｕｌａｔｉｏｎ）コードに従って、前方誤差訂正（ＦＥＣ：Ｆｏｒｗａｒｄ  Ｅｒｒｏｒ  Ｃｏｒｒｅｃｔｉｏｎ）の第１のレベルを復号する。
【００２３】
図２に於いて、３種類の曲線が、ビタビ・デコーダ（ＶＤ）出力（下側の曲線の組）に加えて等化器（上側の曲線の組）についても、示されている。１つは、ブラインド・モードのみに於ける等化器の曲線、もう１つは、自動切換えモードに於ける等化器の曲線、更にもう１つは、ソフト（軟）自動切換えモードに於ける等化器の曲線である。自動切換えモードでは、等化器は、コンバージェンスの前にブラインド・モードに在り、コンバージェンスが検出された後、判定指示モードに切換わる。また、コンバージェンスが失われると、等化器はブラインド・モードに戻る。ソフト自動切換えモードは、判定指示モードがソフト（軟）判定指示モードであることを除けば、自動切換えモードと同様である。ソフト判定指示モードでは、帰還型フィルタへの入力は、スライサの出力の代わりに、等化器の出力が使用される。
【００２４】
図２に示される特性を検討すると、次のことが理解できる。
ａ）自動切換えモードに於ける等化器出力の性能は、ブラインド・モードに於けるそれと同等かそれより良い。信号対雑音比（ＳＮＲ）が増大するにつれ、自動切換えモードの性能は益々良くなる。
ｂ）ビタビ・デコーダ（ＶＤ）出力の性能は、等化器出力の性能を反映している。自動切換えモードでは、ＶＤ出力性能は、ブラインド・モードに於けるそれと同等かそれより良い。信号対雑音比（ＳＮＲ）が増大するにつれ、自動切換えモードの性能は益々良くなる。
ｃ）自動切換えモードとソフト自動切換えモードは、等化器出力とビタビ・デコーダ（ＶＤ）出力の両方について、同様の性能を呈する。
【００２５】
自動切換えモードに於けるブラインド・モードと判定指示モードとの関係をより良く理解するためには、図３を検討することが有効である。図３は、異なる信号対雑音比（ＳＮＲ）の値に対する付加白色ガウス雑音（ＡＷＧＮ）チャンネルに於ける等化器ロック検出器の曲線を示している。信号対雑音比（ＳＮＲ）は、図３の最上部の図では１３ｄＢであり、中央部の図では１５ｄＢであり、最下部の図では１８ｄＢである。図３では、縦座標スケール上の０レベルは、等化器がロック状態でないことを示し、即ち、等化器がブラインド・モードに在ることを示している。等化器がロックされると、ロック検出器出力が１の値を呈し、即ち、等化器は判定指示モードに在る。低いＳＮＲに対しては、等化器は主にブラインド・モードに在り、即ち、コンバージェンスは、ノイズ（雑音）のレベルが高いため、決して検出されないことが判る。これは、現実的に解決できないロック検出器の難点である。他方、高いＳＮＲに対しては、コンバージェンスが最終的に検出され、等化器が判定指示モードに遷移する。また、中程度のＳＮＲに対しては、ロック検出器が絶えず切換わり、ノイズ（雑音）が、潜在的に等化器コンバージェンスに影響を及ぼすことに加え、等化器コンバージェンスを検出するロック検出器の機能に影響を及ぼす。同様の事象が、ソフト自動切換えモードに在る等化器についても、推測できる。
【００２６】
マルチパス信号がチャンネルに導入された場合、システム・シミュレーションに幾つかの違いが生じる。図４は、付加白色ガウス雑音（ＡＷＧＮ）とマルチパス・チャンネルとの組み合わせに於ける高精細度テレビジョン（ＨＤＴＶ）受信機についての「ビット誤差レート」（ＢＥＲ）対「信号対雑音比」（ＳＮＲ）性能曲線を示している。マルチパス・チャンネルには１つの３ｄＢ・３マイクロ秒のゴーストが含まれており、これは比較的強いゴーストである。図２と同様に、この性能は、ビタビ・デコーダ（ＶＤ）の後のみならず等化器の後でも測定される。また、３種類の曲線が、ＶＤ出力に加えて等化器についても、示されている。１つは、ブラインド・モードのみに於ける等化器の曲線、もう１つは、自動切換えモードに於ける等化器の曲線、更にもう１つは、ソフト（軟）自動切換えモードに於ける等化器の曲線である。
【００２７】
ソフト自動切換えモードでは、等化器は、コンバージェンスの前にブラインド・モードに在り、コンバージェンスが検出された後にソフト判定指示モードに切換わる。また、コンバージェンスが失われると、等化器はブラインド・モードに戻る。ソフト判定指示モードでは、通常の判定指示モードとは対照的に、帰還型フィルタへの入力は、等化器の出力である。
【００２８】
図４に示される各特性を検討すると、以下のことが理解できる。
ａ）自動切換えモードでは、等化器出力の性能は、ブラインド・モードおよびソフト自動切換えモードに於けるそれと同等かそれより良い。信号対雑音比（ＳＮＲ）が増大すると、自動切換えモードの性能が益々良くなる。
ｂ）しかし、ビタビ・デコーダ（ＶＤ）出力の性能は、特に中程度の信号対雑音比（ＳＮＲ）に対して、等化器出力の性能を反映していない。信号対雑音比（ＳＮＲ）のそれらの値に対して、ビタビ・デコーダ（ＶＤ）出力の性能は、自動切換えモードでは、ブラインド・モードとソフト自動切換えモードとに於けるそれに比べて、約１．５ｄＢも悪くなる。
ｃ）図４では明らかでないが、更に行ったシミュレーションでは、信号対雑音比（ＳＮＲ）値が高くなると、自動切換えモードでのビタビ・デコーダ（ＶＤ）出力の性能は、再び、ブラインド・モードとソフト自動切換えモードでのそれと同等かそれより良くなることが判っている。
ｄ）また、更に行ったシミュレーションでは、上記ｂ）の項目で述べた問題は、ゴーストが弱くなると、より小さいスケールで存在し、ゴーストが強くなると、より顕在化することが判っている。
【００２９】
等化器が、ブラインド・モード或いは自動切換えモードに在る場合の等化器とビタビ・デコーダ（ＶＤ）との性能事象の差を理解するには、これら２つのモードでの等化器出力に於ける誤差バーストの数を算出することが有効である。
【００３０】
図５は、異なる信号対雑音比（ＳＮＲ）測定について、両等化器モードに於ける誤差バースト数対バースト長の図を示している。ＳＮＲは、図５の最上部の図に於いて１８ｄＢであり、中央部の図に於いて２１ｄＢであり、最下部の図に於いて２５ｄＢである。図５に示される特性を検討すると、次の以下のことが確認できる。
ａ）信号対雑音比（ＳＮＲ）が低い状況の場合、誤差バースト数は、ブラインド・モードと自動切換えモードの両方モードについて、非常に類似している。長い誤差バーストが両方モードで存在し、ブラインド・モードについて、その数がやや多い。
ｂ）信号対雑音比（ＳＮＲ）が中程度の状況の場合、ブラインド・モードに於ける長い誤差バーストの数が減少するに従い、ブラインド・モードに比べて自動切換えモードの方が誤差バースト数が明らかに多くなり、且つ、誤差バースト長も明らかに長くなる。また、自動切換えモードは、信号対雑音比（ＳＮＲ）が増えても、あまりその影響を受けない。
ｃ）信号対雑音比（ＳＮＲ）が高い状況の場合、自動切換えモードに於ける長い誤差バーストの数が、信号対雑音比（ＳＮＲ）が増大すると、ブラインド・モードより速い割合で減少する。また、この減少に従って、ブラインド・モードの方が、自動切換えモードより、誤差バースト数が多くなり、且つ、誤差バースト長も長くなる。
【００３１】
図６は、等化器ロック検出器出力対繰返し数（×１０４）を示している。ＳＮＲは、図６の最上部図に於いて１８ｄＢであり、中央部図では２１ｄＢであり、最下部図では２５ｄＢである。ＳＮＲが、低い、中程度、或いは、高いという観念は、ゴーストが異なれば性能も異なるため、実際はゴーストのプロファイル（特性）と強さに依存している。しかし、図６に示されるように、ＳＮＲと等化器ロック検出器の性能との間には特定の関係が存在する。ＡＷＧＮチャンネルに於けるのと同様に、低いＳＮＲに対して、等化器は主にブラインド・モードに在り、即ち、コンバージェンスは、ノイズのレベルが高いため、決して検出されない。高いＳＮＲに対して、コンバージェンスが最終的に検出され、等化器は判定指示モードに遷移し、このモードで安定する。中程度のＳＮＲに対して、ロック検出器は、ノイズのレベルにより安定した判定指示モードが得られず、絶えず切換わる。同様な事象が、ソフト自動切換えモードに於ける等化器についても推測できる。
【００３２】
以上の検討と情報に基づいて、標準の判定指示モードの性能が、ソフト判定指示モードより悪い場合の誤差伝送の状況を検出してモードを切換えることが、本発明の１つの特徴である。
【００３３】
等化器ロック検出器は、信号対雑音比（ＳＮＲ）に拘わらず、コンバージェンスを検出するのが理想である。しかし、低いＳＮＲに十分に対応できるアルゴリズムを実施することは現実的に不可能である。更に、マルチパス環境に於いて、ノイズは、等化器のコンバージェンスとトラッキングの機能にも影響を及ぼす。従って、ゴーストのプロファイル（特性）、即ち、ＳＮＲに拘わらず、ロック検出器の不安定状態を検出することが望ましい。
【００３４】
図７および図８は、本発明に従う等化器モード・スイッチの実施形態の例を示している。本発明は、ロック検出器の不安定状態を識別して、この情報により適切な等化器モードを決定する。本発明に適用される原理は、閾値比較の原理である。適応のための帰還型フィルタ（ＦＢＦ）への入力、誤差信号、および、制御信号の生成に関するモード・スイッチの残りの各動作については、既に説明した通りである。
【００３５】
図７に於いて、ロック検出器の遷移が、Ｗ個のシンボル周期分の特定ウィンドウ期間の間、計数され、その遷移数ＮＴｒが、閾値Ｔｈｒと比較される。このシステムは、毎ウィンドウ期間Ｗ後に起動され、計数を再開する。ウィンドウ期間Ｗと閾値Ｔｈｒは、プログラム可能な変数であり、それらの値は、適切なシステム検査を経て識別できる。２つのフリップフロップＦＦ１およびＦＦ２は、イネーブル付きＤ型フリップフロップである。等化器ロック検出器出力に対応する入力ｅｑｌ＿ｌｏｃｋ＿ｉｎｔが、パフォーマンス（ＦＦ１）により遅延され、その遅延信号と排他的論理和がとられる。この動作により、ロック検出器の遷移が識別される。
【００３６】
クロック・イネーブル入力を有する計数器１が、Ｗ計数値のウィンドウ内で計数された遷移数ＮＴｒを出力する。Ｗ計数値のウィンドウを有するラップ・アランウド・シンボル計数器である計数器２が、最大計数値インジケータｍａｘ＿ｉｎｄを出力する。この信号ｍａｘ＿ｉｎｄは、計数器２がその限度値であるＷシンボル計数値に達したとき、「ハイ（ｈｉｇｈ）」、即ち、「１」になり、そうでないとき、「ロー（ｌｏｗ）」、即ち、「０」になる。ｍａｘ＿ｉｎｄ＝１のとき、フリップフロップ（ＦＦ２）は、値ＮＴｒを記憶する。次に、この値は、閾値計数値Ｔｈｒと比較される。ＮＴｒ≧Ｔｈｒの場合、ロック検出器の遷移が多すぎ、信号ｓｅｌが「０」に設定される。ＮＴｒ＜Ｔｈｒの場合、遷移数が妥当と見做され、信号ｓｅｌは「１」に設定される。
【００３７】
尚、図７に示す回路は、本発明の実施形態の一例であり、その他の類似した回路を用いて、同様にロック検出器の不安定状態を検出する機能が得られる。
【００３８】
図７に於いて、信号ｓｅｌは、システムがソフト自動切換えモードに設定されるべきか（ｓｅｌ＝０）、或いは、自動切換えモードに維持されるべきか（ｓｅｌ＝１）を示す。これは、標準等化器モード・スイッチである。自動切換えモードでは、等化器は、開始時点でブラインド・モードに設定され、等化器コンバージェンスが検出された後、判定指示モードに切換えられ、そのコンバージェンスが失われると、ブラインド・モードに戻る。等化器コンバージェンスのインジケータは、信号ｅｑｌ＿ｌｏｃｋ＿ｉｎｔ、即ち、等化器ロック検出器出力である。ソフト自動切換えモードでは、判定指示モードの代わりにソフト判定指示モードが使用され、その他の点は、自動切換えモードと同様である。
【００３９】
図８は、信号ｓｅｌを入力として利用し、更なるレベルのヒステリシス（ｈｙｓｔｅｒｅｓｉｓ）を導入する本発明の一実施形態についての状態機械（ｓｔａｔｅ  ｍａｃｈｉｎｅ：ステート・マシン）を表現している。この状態機械は、現在の状態が通常ロック状態であるか、または、変容ロック状態（ａｌｔｅｒｅｄ  ｌｏｃｋ  ｓｔａｔｅ）であるかに依存して、それぞれ、ｓｅｌが０または１に維持された期間の個数を、Ｗ個のシンボルのサイズＮ個の期間のウィンドウ内で計数する。リセット時に、状態機械は、通常ロック状態に在り、等化器モード・スイッチは１、即ち、自動切換えモードが選択される。状態機械は、信号設定を継続的にチェックし、変数ｓｅｌ＿ｃｏｕｎｔでｓｅｌ＝１の発生を計数する。ｓｅｌ＿ｃｏｕｎｔが、設定された閾値ｓｅｌ＿ｔｈｒより小さい場合、状態機械は、変容ロック状態に遷移する。変容ロック状態になると、等化器モード・スイッチは、０に設定され、即ち、ソフト自動切換えモードになる。同様に、状態機械は、信号ｓｅｌを継続的にチェックし、変数ｓｅｌ＿ｃｏｕｎｔでｓｅｌ＝１の発生を計数する。ｓｅｌ＿ｃｏｕｎｔが、閾値ｓｅｌ＿ｔｈｒより大きいか、或いは、それに等しい場合、状態機械は、通常ロック状態に遷移する。
【００４０】
尚、図８は、本発明の実施形態の一例を示すものであり、その他の類似の状態機械を用いて、同様のヒステリシスの機能を信号ｓｅｌに加えることが出来る。
【００４１】
以上、本発明を、高精細度テレビジョン（ＨＤＴＶ）用ＡＴＳＣ規格の等化器用に設計された等化器モード・スイッチとして説明した。しかし、本発明の原理は、等化器の後段にトレリス・デコーダ或いは畳込みデコーダ（ｃｏｎｖｏｌｕｔｉｏｎａｌ  ｄｅｃｏｄｅｒ）を設けたシステムに於いて判定帰還型等化器（ＤＦＥ）構造を有する任意の汎用等化器にも応用できる。そのようなシステムでは、線形歪み、ノイズ、および、判定指示モードに於けるスライサの存在に起因する判定帰還型等化器（ＤＦＥ）フィルタへの誤差伝送の結果、等化器出力に突発的なノイズが現れ、デコーダ性能を低下させがちになる。本発明の様々な機能は、プログラムされたコンピュータ・アプリケーションに於けるソフトウェアにより実行可能であり、或いは、ハード回路、集積回路またはその他の回路形態で実行可能であり、或いは、ソフトウェアとハードフェア両者の組み合わせにより実行可能である。更に、本発明は、シンボル間隔（Ｔ間隔、Ｔはシンボル周期）の等化器について説明したが、シンボル間隔の数分の１の等化器にも適用できる。このシンボル間隔の数分の１の等化器については、幾つかの技術解説書、例えば、前述のジョン・ジー・プロアキス（Ｊｏｈｎ  Ｇ．Ｐｒｏａｋｉｓ）氏著の「ディジタル通信（Ｄｉｇｉｔａｌ  Ｃｏｍｍｕｎｉｃａｔｉｏｎｓ）」の第２版（ＭｃＧｒａｗ−Ｈｉｌｌ、Ｎｅｗ  Ｙｏｒｋ）（１９８９年）に説明されている。また、帰還形フィルタ（ＦＢＦ）へのソフト判定指示入力は、等化器出力として説明したが、等化器出力の更に複雑なソフト判定機能になり得る。尚、図１に示す等化器には、トレーニング・モードも含ませることも出来る。トレーニング動作モードは、通常の判定帰還型等化器（ＤＦＥ）に於けるようなブラインド・モードについて排他的であるが、各判定指示モードに干渉することはない。
【００４２】
以上、本発明を実施形態例として説明したが、本発明が属する分野の技術者であれば、特許請求の範囲に記載された本発明から逸脱することなく、様々な変更および変形を行え得ることが理解できるであろう。
【図面の簡単な説明】
【００４３】
【図１】判定帰還型等化器（ＤＦＥ）構造の概略的ブロック図である。
【図２】付加白色ガウス雑音（ＡＷＧＮ）チャンネルに於ける等化器とビタビ・デコーダとについてのビット誤差レート（ＢＥＲ）対信号・雑音比（ＳＮＲ）を示す図である。
【図３】異なるＳＮＲ値に対するＡＷＧＮチャンネルと自動切換えモードに於ける等化器ロック検出器出力を示す図である。
【図４】３ｄＢ・３マイクロ秒のゴースト信号と付加白色ガウス雑音（ＡＷＧＮ）との組み合わせに於ける等化器とビタビ・デコーダとについての「ビット誤差レート」（ＢＥＲ）対「信号対雑音比」（ＳＮＲ）を示す図である。
【図５】異なるＳＮＲ測定に対するブラインド・モードと自動切換えモードについての等化器出力に於けるバースト誤差数対バースト・サイズを示す図である。
【図６】異なるＳＮＲ値に対する３ｄＢ・３マイクロ秒のゴースト信号プラスＡＷＧＮチャンネルに於ける等化器ロック検出器出力を示す図である。
【図７】本発明に従うブロック図形式の等化器モード・スイッチの一実施形態を示す図である。
【図８】本発明の１つの特徴に従う等化器モード・スイッチの状態機械のチャートを示す図である。
【図１】
2005523635.tif 000003
【図２】
2005523635.tif 000004
【図３】
2005523635.tif 000005
【図４】
2005523635.tif 000006
【図５】
2005523635.tif 000007
【図６】
2005523635.tif 000008
【図７】
2005523635.tif 000009
【図８】
2005523635.tif 000010
【国際調査報告】
2005523635.tif 000011